(57)【要約】【課題】分別回収を容易にするとともに、内容物を最初に使用する前に、誤ってタブを引っ張らないようにする。【解決手段】容器口部を挟持する内筒４と外筒６とを有するキャップ本体１と；該キャップ本体に螺着される上蓋３０と；該上蓋の下端にブリッジ３９を介して連結された環状壁３１と；該外筒に設けられた縦弱化部２２と；該外筒に設けられ、前記縦弱化部に連続するタブ１７と；前記環状壁の内側に設けたラチエット爪４０と、キャップ本体１に設けたラチエット歯２４とからなるラチエット機構Ｒと；該外筒に設けられ、前記タブと連続する周方向弱化ライン１３と；を備えた分別キャップであって；前記タブの上端１７ａと環状壁３１の下端３１ａとが、摘み防止間隔Ｃをおいて対向している。【選択図】図１
2004299683.tif 000002
【特許請求の範囲】
【請求項１】
容器口部を挟持する内筒と外筒とを有するキャップ本体と；該キャップ本体に螺着される上蓋と；該上蓋の下端にブリッジを介して連結された環状壁と；該外筒に設けられた縦弱化部と；前記環状壁の内側に設けたラチエット爪と、キャップ本体に設けたラチエット歯とからなるラチエット機構と；該外筒に設けられ、前記縦弱化部に連続する摘み片と；該外筒に設けられ、前記摘み片と連続する周方向弱化ラインと；を備えた分別キャップであって；
前記摘み片の上端と環状壁の下端とが、摘み防止間隔をおいて対向していることを特徴とする分別キャップ。
【請求項２】
摘み防止間隔が零で、摘み片の上端と環状壁の下端とが当接していることを特徴とする請求項１記載の分別キャップ。
【請求項３】
容器口部を挟持する内筒と外筒とを有するキャップ本体と；該キャップ本体に螺着される上蓋と；該上蓋の下端にブリッジを介して連結された環状壁と；該外筒に設けられた縦弱化部と；前記環状壁の内側に設けたラチエット爪と、キャップ本体に設けたラチエット歯とからなるラチエット機構と；該外筒に設けられ、前記縦弱化部に連続する摘み片と；該外筒に設けられ、前記摘み片と連続する周方向弱化ラインと；を備えた分別キャップであって；
前記摘み片が、閉蓋時に、環状壁により隠されることを特徴とする分別キャップ。
【請求項４】
外筒の上部に、環状壁が嵌合される段部を設け、該段部にラチエット機構のラチエット歯を設けたことを特徴とする請求項１、２，又は、３記載の分別キャップ。
【発明の詳細な説明】
【０００１】
【発明の属する技術分野】
この発明は、不正開封防止機能（タンパーエビデント）を有するキャップに関するものであり、更に述べると、容器内の内容物を使用後、該容器から取り外される、分別キャップに関するものである。
【０００２】
【従来の技術】
従来の分別キャップとして、次のものが知られている。即ち、
頂板部及び頂板部から垂下したスカート部から成り、頂板部に注出用開口となる中央部を有し、スカート部内面には容器口部と嵌合する係合用突起が設けられているキャップ本体と、頂板部及び頂板部から垂下したスカート部から成り、キャップ本体頂板部を覆うようにキャップ本体と嵌合する上蓋とから成るキャップにおいて、キャップ本体スカート部には、外面下端部にタブが設けられ、このタブの付根部分から連続してスカート部下端から上方に延びて周方向に続くスコアが設けられ、該周方向スコアがキャップ本体の係合用突起よりも上方に位置しており、上蓋スカート部下端がキャップ本体スカート部の周方向スコアよりも下方に位置して固定されることを特徴とする（例えば、特許文献１、参照）。
【０００３】
前記従来例には、次のような問題がある。
（１）キャップ本体を容器口部にはめ込むための打栓作業時に、キャップ本体のスコアが破断することがある。
（２）摘みやすくするため、タブを本体スカート部の外周面から突出させているので、容器内容物の注出を行う前に、誤ってタブを引っ張ってスコアを破断してしまうことがある。
（３）タンパーエビデント機能が設けられていないので、不正開封されてもわからない。
【０００４】
そこで、上記問題を解決するため、次の様な分別機能を有するプラスチックキャップが用いられている。即ち、
スカート部６の外面には第１のラチェット８が形成され、且つスカート部の下端には水平方向外方に突出した水平フランジ部７が形成されており、上蓋２は、筒状側壁部内面にキャップ本体１を螺子締結するための螺条１６を備えていると共に、該筒状側壁部の下端には破断可能なブリッジ部３０を介して環状バンド３１が設けられている。環状バンドの内面には、第２のラチェット３２が形成されており、上蓋をキャップ本体に螺子係合させた状態において、キャップ本体のスカート部の外面の全周が前記環状バンドによって覆われ、且つ第１のラチェットと第２のラチェットとは、環状バンドの閉栓方向への回転は許容するが開栓方向の回転を制限する様な関係で形成されている（例えば、特許文献２、参照）。
【０００５】
しかし、このプラスチックキャップは、内容物使用後、キャップ本体を容器口部から除去する際、環状バンドを外す必要があるが、環状バンドは、打栓時のキャップ本体外筒の拡径により、きつく締結しているので、外すのが困難である。又、該環状バンドを外す際には、キャップ本体の切欠部にコインを差し込み、水平フランジを支点としてテコの原理を利用して該環状バンドを押し上げなければならないので、手間がかかる。更に、キャップ本体にスコア等の破断ラインがないので、キャップの容器口部からの除去が困難である。
【０００６】
【特許文献１】特開平０６−１３５４５１号公報
【特許文献２】特開平１１−１３０１１３号公報
【０００７】
この発明は、上記事情に鑑み、分別回収を容易にすることを目的とする。他の目的は、最初の開蓋前に、消費者が誤ってタブを引っ張らないようにすることである。
【０００８】
【課題を解決するための手段】
この発明は、容器口部を挟持する内筒と外筒とを有するキャップ本体と；該キャップ本体に螺着される上蓋と；該上蓋の下端にブリッジを介して連結された環状壁と；前記環状壁の内側に設けたラチエット爪と、キャップ本体に設けたラチエット歯とからなるラチエット機構と；該外筒に設けられた縦方向弱化部と；該外筒に設けられ、前記縦弱化部に連続する摘み片と；該外筒に設けられ、前記摘み片と連続する周方向弱化ラインと；を備えた分別キャップであって；前記摘み片の上端と環状壁の下端とが、摘み防止間隔をおいて対向していることを特徴とする。
この分別キャップは、摘み防止間隔が零で、摘み片の上端と環状壁の下端とが当接していることを特徴とする。
【０００９】
この発明は、容器口部を挟持する内筒と外筒とを有するキャップ本体と；該キャップ本体に螺着される上蓋と；該上蓋の下端にブリッジを介して連結された環状壁と；該外筒に設けられた縦弱化部と；前記環状壁の内側に設けたラチエット爪と、キャップ本体に設けたラチエット歯とからなるラチエット機構と；該外筒に設けられ、前記縦弱化部に連続する摘み片と；該外筒に設けられ、前記摘み片と連続する周方向弱化ラインと；を備えた分別キャップであって；前記摘み片が、環状壁により隠されることを特徴とする。
【００１０】
この分別キャップは、外筒の上部に、環状壁が嵌合される段部が設けられていることを特徴とする。この分別キャップは、段部に設けたラチエット歯と、環状壁の内側に設けたラチエット爪とからなるラチエット機構を備えていることを特徴とする。
【００１１】
【発明の実施の形態】
この発明の第１実施の形態を図１〜図３により説明する。
分別キャップは、ポリプロピレン、ポリエチレンなどの合成樹脂で形成され、キャップ本体１と、該キャップ本体１に螺着される上蓋３０と、を備えている。
【００１２】
キャップ本体１は、遮断壁２と、該遮断壁２に注出筒３を介して連続する内筒４と、該内筒４に頂壁５を介して連続する外筒６と、を備えている。
遮断壁２には、開口用の円形状裂溝８が設けられ、該裂溝８近傍には、プルリング１０が立設されている。内筒４の延長部には雄ねじ部１１が設けられている。
【００１３】
外筒６の内周面には、周方向弱化ライン１３が設けられ、その下方には係止突条１５が設けられている。この外筒６の外周面には、滑り止め１６の付いたタブ１７が設けられているが、このタブ１７の外面は、外筒６の外周面と同一円周上に位置し、該外周面の一部をなしている。タブ１７の上端１７ａは、段部２０の底面２０ａから摘み防止間隔Ｃだけ離れている。
【００１４】
ここで、摘み防止間隔Ｃとは、キャップ本体１に上蓋３０を被せた場合に、タブ１７を摘めない程度の間隔をいうが、その値は、必要に応じて適宜選択される。なお、この摘み防止間隔Ｃは、零、即ち、環状壁３１の下端に当接する様にしても良い。
【００１５】
タブ１７は、縦弱化部２２に連続している。この縦弱化部２２は、外筒６の軸方向に形成されたスリットであり、その下端部２２ａは、外筒６の下端６ａより少し上方に位置している。この縦弱化部２２として、スリットの代わりに、薄肉部やミシン目を採用しても良い。
【００１６】
タブ１７は、肉薄に形成された周方向弱化ライン１３に連続している。この周方向弱化ライン１３の形成範囲は、必要に応じて適宜選択されるが、例えば、１８０度（半円）に亘って形成される。
段部２０には、ラチエット歯２４が設けられているが、このラチエット歯２４は、周方向に間隔をおいて複数形成されている。なお、２０ａは、段部２０の底面を示す。
【００１７】
上蓋３０の天板３３の内面には、注出筒３に当接するインナーリング３５が設けられ、又、該天板３３には、スカート３６が連続している。このスカート３６の外面には滑り止め３６ａが設けられ、又、その内面には、おねじ部１１に螺合するめねじ部３７が設けられている。
【００１８】
スカート３６の下端は、ブリッジ３９を介して環状壁３１に連結されている。この環状壁３１は、段部２０に嵌着できるように形成され、その径は、スカート３６の径より大きく、本体外径と同径である。この環状壁３１の内面には、前記ラチェット歯２４と噛み合うラチェット爪４０が設けられている。
【００１９】
この実施の形態の作動について説明する。
内容物、例えば、醤油の充填されている、容器の口部に分別キャップを打栓装着し、該口部を封鎖する。この時、スリット２２は、外筒６の下端まで達していないので、該下端部は、円環状に繋がっている。そのため、外筒６の軸方向及び半径方向への変形が規制されるので、縦弱化線及び周方向弱化ライン１３の破断を防止することができる。
【００２０】
不正開封しようとするものが、最初に上蓋３０を開蓋方向に回すと、ラチエット機構Ｒが働き、環状壁３１がスカート３６から分離し、自由になるので、不正開封されたことが容易にわかる。
【００２１】
閉蓋状態において、タブ１７の上端１７ａと環状壁３１の下端３１ａとの間隔は、摘み防止間隔Ｃである。従って、タブ１７を摘むことはできないので、内容物を最初に使用する前に、誤って、タブ１７を引っ張るのを防止することができる。
【００２２】
内容物を最初に使用するときには、上蓋３０を開蓋方向に回す。そうすると、ラチエット歯２４とラチェット爪４０とが噛み合い、上蓋３０の回転に対する抵抗が発生する。この抵抗に逆らってなお上蓋３０を同方向に回すと、ブリッジ３９が破断し、環状壁３１はスカート３６から離れ、自由となる。
【００２３】
更に、上蓋３０を同方向に回すと、おねじ部１１とめねじ部３７との螺合が解除され、上蓋３０はキャップ本体１から外れる。
プルリング１０を引っ張って裂溝８から遮断壁２を切り裂き開口させる。この状態で容器  を傾け、内容物を使用する。
【００２４】
内容物を使用後、上蓋３０をキャップ本体１に被せ、前記と逆方向に回し、両ねじ部１１，３７を螺着させると、スカート３６の下端は、頂壁５に当接する。
【００２５】
分別回収の際には、上蓋３０を外して環状壁３１を抜き取る。このとき、環状壁３１は、キャップ本体１の外周上部に設けられた段部２０に嵌着するので、キャップ本体１の外周の拡径による締結力を受けておらず、又、ラチエット機構により周方向への回転は規制されるが、軸方向には何らの規制力も働かないので、容易に抜き取ることができる。
更に、タブ１７の上端１７ａを露出させた後、該タブ１７を摘んで周方向に引っ張ると、周方向弱化ライン１３が破断し、係止突条の締め付けが緩くなるので、キャップは容易に容器口部から外れる。
【００２６】
この発明の第２実施の形態を図４により説明するが、図１〜図３と同一図面符号はその名称も機能も同一である。
本実施の形態と第１実施の形態と相違点は、次の通りである。
（１）タブ５７を頂壁５に立設したこと。
（２）環状壁５０を上方に伸ばし、閉蓋時には、前記タブ５７が環状壁５０により隠されてしまうこと。
この実施の形態では、閉蓋時には、タブ５７は外部から見えないので、悪戯などにより、タブを引っ張ることはない。
【００２７】
【発明の効果】
この発明は、タブの上端と環状壁の下端とは、摘み防止間隔をおいて対向しているので、誤って、最初に、開蓋する前にタブを引っ張るのを防止することができる。
又、タブは、閉蓋時環状壁により隠されているので、悪戯などにより引っ張られるのを防止することができる。
更に、縦弱化部と周方向弱化ラインとを設けたので、分別回収の際に該ラインを引き裂くことによりキャップ本体を容器口部から容易に外すことができる。
【図面の簡単な説明】
【図１】本発明の第１実施の形態を示す正面一部縦断面図である。
【図２】キャップ本体の平面図である。
【図３】上蓋の底面図である。
【図４】本発明の第２実施の形態を示す縦断面図の一部を示す図である。
【符号の説明】
１          キャプ本体
２          遮断壁
３          注出筒
４          内筒
５          頂壁
１３        周方向弱化ライン
１７        タブ
２２    縦弱化部
２４        ラチエット歯
３０        上蓋
３１        環状壁
４０        ラチエット爪
Ｃ  摘み防止間隔
Ｒ  ラチエット機構
【図１】
2004299683.tif 000003
【図２】
2004299683.tif 000004
【図３】
2004299683.tif 000005
【図４】
2004299683.tif 000006